(57)【特許請求の範囲】
【請求項１】
電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、
１つのセルまたは隣り合う複数のセルで１表示単位を構成し、
各セルの背面側基板に、中央凸状部材および中央凸状部材の表面を覆う電極からなる電極付き中央凸状部材を設け、前記表示媒体の色とは異なる色を少なくとも電極付き中央凸状部材の上面に設け、前記電極付き中央凸状部材上面と表示側透明基板との間および前記電極付き中央凸状部材と隔壁との間、に表示媒体が配置される空間を形成する
ことを特徴とする情報表示用パネル。
【請求項２】
前記１表示単位が、１以上１６以下のセルによって構成されることを特徴とする請求項１に記載の情報表示用パネル。
【請求項３】
前記表示媒体の色を、色座標上白色から遠い色とし、前記電極付き中央凸状部材の上面の色を白色とすることを特徴とする請求項１または２に記載の情報表示用パネル。
【請求項４】
前記表示媒体の色を白色とし、前記電極付き中央凸状部材の上面の色を、色座標上白色から遠い色とすることを特徴とする請求項１または２に記載の情報表示用パネル。
【請求項５】
電界駆動可能な粒子からなる少なくとも２色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、
第１色の表示媒体を封入した１つ以上のセルと第２色の表示媒体を封入した１つ以上のセルとからなる複数のセルで１表示単位を構成し、
各セルの背面側基板に、中央凸状部材および中央凸状部材の表面を覆う電極からなる電極付き中央凸状部材を設け、第１色の表示媒体が封入されたセルの電極付き中央凸状部材上面は第２色の表示媒体と同系色とし、第２色の表示媒体が封入されたセルの電極付き中央凸状部材上面は第１色の表示媒体と同系色とし、前記電極付き中央凸状部材上面と表示側透明基板との間および前記電極付き中央凸状部材と隔壁との間、に表示媒体が配置される空間を形成する
ことを特徴とする情報表示用パネル。
【請求項６】
前記第１色の表示媒体の色と前記第２色の表示媒体の色とが色座標上遠いものであることを特徴とする請求項５に記載の情報表示用パネル。
【請求項７】
前記１表示単位が、２以上１６以下のセルによって構成されることを特徴とする請求項５または６に記載の情報表示用パネル。
【請求項８】
前記電極付き中央凸状部材上面の色が、同じセル内に封入された表示媒体の色とは異なる色であって、別のセル内に封入された別の色の表示媒体と同系色であることを特徴とする請求項５〜７のいずれか１項に記載の情報表示用パネル。
【請求項９】
第１色の表示媒体の色が白色であって、第２色の表示媒体の色が、色座標上白色から遠い色である情報表示用パネルにおいて、前記電極付き中央凸状部材上面の色が、白色であることを特徴とする請求項５〜７のいずれか１項に記載の情報表示用パネル。
【請求項１０】
前記電極付き中央凸状部材と前記セルを形成する隔壁とにより形成される空間を、表示媒体が配置される空間とすることを特徴とする請求項１〜９のいずれか１項に記載の情報表示用パネル。
【請求項１１】
前記電極付き中央凸状部材が背面側基板のセル中央に設けられ、前記電極付き中央凸状部材と前記セルを形成する全ての隔壁との間に表示媒体が配置される空間を形成することを特徴とする請求項１〜１０のいずれか１項に記載の情報表示用パネル。
【請求項１２】
前記電極付き中央凸状部材の高さＨｔが、基板間の距離Ｈｗに対して、
Ｈｗ／４≦Ｈｔ≦Ｈｗ／２
を満たすことを特徴とする請求項１〜１１のいずれか１項に記載の情報表示用パネル。
【請求項１３】
表示媒体が配置される空間における、前記電極付き中央凸状部材側面部と隔壁との距離Ｗｔが、表示媒体を構成する粒子の平均粒子径ｄ（０．５）に対して、
３×ｄ（０．５）≦Ｗｔ
を満たすことを特徴とする請求項１〜１２のいずれか１項に記載の情報表示用パネル。
【請求項１４】
電極付き中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことを特徴とする請求項１〜１３のいずれか１項に記載の情報表示用パネル。
【発明の詳細な説明】
【技術分野】
【０００１】
本発明は、電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルに関するものである。
【背景技術】
【０００２】
従来、液晶表示装置（ＬＣＤ）に代わる情報表示装置に用いる表示用パネルとして、帯電粒子を液体中で移動させる表示方式（電気泳動方式）や、帯電粒子を気体中で移動させる表示方式（気中移動方式）の情報表示用パネルを搭載した情報表示装置が知られている。
【０００３】
帯電粒子移動方式表示用パネルとしては、少なくとも一方が透明な対向する２枚の基板間の空間に、少なくとも１種類以上の粒子から構成され光学的反射率および帯電性を有する表示媒体を少なくとも１種類以上封入し、表示媒体に電界を付与することによって、表示媒体を移動させて画像等の情報を表示する方式の情報表示用パネルを用いたものが知られている（例えば特許文献１）。
【０００４】
上述した帯電粒子で構成された表示媒体を電界駆動する方式の情報表示用パネルの代表例を、図１３〜図１４を用いて説明する。
電界駆動可能な帯電粒子で構成された表示媒体４３を２枚の基板４１、４２間の空間に封入し、基板４１、４２のそれぞれに設けた電極４５、４６から電界を付与することで、表示媒体４３を移動させて画像等の情報表示を書き換えできるドットマトリックス型表示方式の情報表示用パネルを示している。また、表示媒体４３を封入する基板４１、４２間の空間は、隔壁４４により複数のセル（小部屋）４７で仕切られている。これにより、封入した表示媒体４３が偏ることを防止できる。
【０００５】
図１３（ａ）、（ｂ）に示す例では、それぞれのセル４７に、白色表示媒体４３Ｗと黒色表示媒体４３Ｂとの２色の組み合わせの表示媒体を封入して白黒ドット表示している。図１３（ａ）、（ｂ）ともに全ての白色表示媒体を表示面側基板に移動させて、白表示を観察者に対して行っている。図１３（ａ）と図１３（ｂ）との相違点は、図１３（ａ）に示す例では画素（表示単位）をライン電極４５、４６が交差して形成する対電極で構成しているのに対し、図１３（ｂ）に示す例では画素（表示単位）を個別電極４５、４６からなる対電極で構成している点である。セル内空間を気体で満たしてもよいし、絶縁液体で満たしてもよい。
【０００６】
図１４（ａ）、（ｂ）に示す例では、３つのセル４７を表示単位（１画素：１ドット）とし、それぞれのセル４７の視認側に、３原色カラーフィルタ５１Ｒ、５１Ｇ、５１ＢＬを配置し、白色表示媒体４３Ｗと黒色表示媒体４３Ｂの２色の表示媒体によってカラー表示している。図１４（ａ）、（ｂ）とも観察者に対し青色ドット表示を行っている。図１４（ａ）と図１４（ｂ）との相違点は、図１４（ａ）に示す例では表示単位とする３つのセルに対応するライン電極４５、４６が交差して形成する対電極で１画素（ピクセル）を構成しているのに対し、図１４（ｂ）に示す例では表示単位とする３つのセルに対応する個別電極４５、４６からなる対電極で１ピクセルを構成している点である。セル内空間を気体で満たしてもよいし、絶縁液体で満たしてもよい。
【０００７】
【特許文献１】国際公開第２００３／０５０６０６号パンフレット
【発明の開示】
【発明が解決しようとする課題】
【０００８】
上述した帯電粒子移動方式の情報表示用パネルでは、２枚の基板間に、隔壁で形成されたセルやマイクロカプセル型のセルを配置し、そのセルの１つ１つに２色の電界駆動可能な表示媒体（例えば、白色帯電粒子と黒色帯電粒子）を封入した構成としており、１つのセル内で２色の表示媒体を移動させて情報画像の表示を行っている。
２色の表示媒体は電界に対して互いに反対の方向に移動しようとするため、移動時に衝突し合いスムーズに移動できない場合があった。
そのため、白画像表示時に一部黒色表示媒体が混在して白色度を低下させたり、逆に、黒画像表示時に一部白色表示媒体が混在して黒色度を低下させたりする問題があった。
【０００９】
本発明の目的は上述した問題点を解消して、白色度および黒色度を低下させることなく鮮明な画像表示が行えるとともに、従来より小さな印加電圧で表示媒体駆動が行える情報表示用パネルを提供することにある。
【課題を解決するための手段】
【００１０】
本発明の情報表示用パネルの第１発明は、電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、１つのセルまたは隣り合う複数のセルで１表示単位を構成し、各セルの背面側基板に、中央凸状部材および中央凸状部材の表面を覆う電極からなる電極付き中央凸状部材を設け、前記表示媒体の色とは異なる色を少なくとも電極付き中央凸状部材の上面に設け、前記電極付き中央凸状部材上面と表示側透明基板との間および前記電極付き中央凸状部材と隔壁との間、に表示媒体が配置される空間を形成することを特徴とするものである。
【００１１】
本発明の情報表示用パネルの第１発明において、前記１表示単位が、１以上１６以下のセルによって構成されること、前記表示媒体の色を、色座標上白色から遠い色とし、前記電極付き中央凸状部材の上面の色を白色とすること、前記表示媒体の色を白色とし、前記電極付き中央凸状部材の上面の色を、色座標上白色から遠い色とすること、が好適である。
【００１２】
本発明の情報表示用パネルの第２発明は、電界駆動可能な粒子からなる少なくとも２色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、第１色の表示媒体を封入した１つ以上のセルと第２色の表示媒体を封入した１つ以上のセルとからなる複数のセルで１表示単位を構成し、各セルの背面側基板に、中央凸状部材および中央凸状部材の表面を覆う電極からなる電極付き中央凸状部材を設け、第１色の表示媒体が封入されたセルの電極付き中央凸状部材上面は第２色の表示媒体と同系色とし、第２色の表示媒体が封入されたセルの電極付き中央凸状部材上面は第１色の表示媒体と同系色とし、前記電極付き中央凸状部材上面と表示側透明基板との間および前記電極付き中央凸状部材と隔壁との間、に表示媒体が配置される空間を形成することを特徴とするものである。
【００１３】
本発明の情報表示用パネルの第２発明において、前記第１色の表示媒体の色と前記第２色の表示媒体の色とが色座標上遠いものであること、前記１表示単位が、２以上１６以下のセルによって構成されること、前記電極付き中央凸状部材上面の色が、同じセル内に封入された表示媒体の色とは異なる色であって、別のセル内に封入された別の色の表示媒体と同系色であること、第１色の表示媒体の色が白色であって、第２色の表示媒体の色が、色座標上白色から遠い色である情報表示用パネルにおいて、前記電極付き中央凸状部材上面の色が、白色であること、が好適である。
【００１４】
また、本発明の情報表示用パネルの第１発明および第２発明において、前記電極付き中央凸状部材と前記セルを形成する隔壁とにより形成される空間を、表示媒体が配置される空間とすること、前記電極付き中央凸状部材が背面側基板のセル中央に設けられ、前記電極付き中央凸状部材と前記セルを形成する全ての隔壁との間に表示媒体が配置される空間を形成すること、が好適である。
【００１５】
また、本発明の情報表示用パネルの第１発明および第２発明において、前記電極付き中央凸状部材の高さＨｔが、基板間の距離Ｈｗに対して、
Ｈｗ／４≦Ｈｔ≦Ｈｗ／２
を満たすことが好適である。
【００１６】
また、本発明の情報表示用パネルの第１発明および第２発明において、表示媒体が配置される空間における、前記電極付き中央凸状部材側面部と隔壁との距離Ｗｔが、表示媒体を構成する粒子の平均粒子径ｄ（０．５）に対して、
３×ｄ（０．５）≦Ｗｔ
を満たすことが好適である。
【００１７】
また、本発明の情報表示用パネルの第１発明および第２発明において、電極付き中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。
【発明の効果】
【００１８】
本発明の第１発明および第２発明によれば、１つのセルまたは隣り合う複数のセルで１表示単位を構成し、各セルの背面側基板に、中央凸状部材および中央凸状部材の表面を覆う電極からなる電極付き中央凸状部材を設け、前記表示媒体の色とは異なる色を少なくとも電極付き中央凸状部材の上面に設け、前記電極付き中央凸状部材上面と表示側透明基板との間および前記電極付き中央凸状部材と隔壁との間、に表示媒体が配置される空間を形成すること、あるいは、第１色の表示媒体を封入した１つ以上のセルと第２色の表示媒体を封入した１つ以上のセルとからなる複数のセルで１表示単位を構成し、各セルの背面側基板に、中央凸状部材および中央凸状部材の表面を覆う電極からなる電極付き中央凸状部材を設け、第１色の表示媒体が封入されたセルの電極付き中央凸状部材上面は第２色の表示媒体と同系色とし、第２色の表示媒体が封入されたセルの電極付き中央凸状部材上面は第１色の表示媒体と同系色とし、前記電極付き中央凸状部材上面と表示側透明基板との間および前記電極付き中央凸状部材と隔壁との間、に表示媒体が配置される空間を形成することにより、白色度および黒色度を低下させることなく鮮明な画像表示が行える情報表示用パネルを提供することが可能となる。また、いずれの発明でも、電極付き凸状部材の電極部分と観察側基板の電極部分との距離を小さくでき、これまでよりも小さな印加電圧で表示媒体駆動を行うことができる。
【発明を実施するための最良の形態】
【００１９】
まず、本発明の情報表示用パネルの基本的な構成について説明する。本発明の情報表示用パネルでは、対向する２枚の基板間の空間に封入した少なくとも１種類以上の電界駆動可能な粒子で構成された光学的反射率と帯電性とを有する表示媒体に電界が付与される。付与された電界方向にそって、帯電した表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板、中央凸状部材との電気鏡像力、分子間力、液架橋力、重力などが考えられる。
【００２０】
本発明の情報表示用パネルの例を、図１（ａ）、（ｂ）〜図３（ａ）、（ｂ）に基づき説明する。
【００２１】
図１（ａ）、（ｂ）に示す例では、１種類以上の粒子からなり黒色で帯電性を有する１種類の黒色表示媒体３Ｂを、隔壁４で形成された各セルに封入し、１個のセルで１表示単位（画素）としている。また、各セルの背面側基板１に、中央凸状部材１１および中央凸状部材１１の表面を覆う電極５からなる電極付き中央凸状部材１２を設けている。この黒色表示媒体３Ｂは、背面側基板１に設けた電極付き中央凸状部材１２の電極５（ライン電極）と表示面側透明基板２に設けた電極６（ライン電極）とが交差して形成する対電極の間に電圧を印加することにより発生する電界に応じて、基板１、２と垂直に移動する。各セル内の背面側基板１には、少なくとも凸状部分の頂上を含む部分面に白色層５Ｗを有する電極付き中央凸状部材１２を設ける。白色層５Ｗにより凸状部分の頂上を含む部分面が白色を呈する電極付き中央凸状部材１２は各セル内の背面側基板１の中央部に設けられ、背面側基板の方に移動した黒色表示媒体３Ｂは、電極付き中央凸状部材１２と隔壁４との空間に配置される。このように背面側基板１の方に移動した表示媒体はセルの端に位置するようになり観察者から見えなくなる。
そして、図１（ａ）、図１（ｂ）に示すように電極付き中央凸状部材１２の凸状部分の頂上を含む部分面における白色層５Ｗと黒色表示媒体３Ｂとを観察者に視認させて白黒ドット表示を行うことができる。黒色表示媒体の移動のさせ方で画像等の情報表示を白黒ドットで行うことができる。
なお、図１（ａ）、（ｂ）において、手前にある隔壁は省略している。
電極付き中央凸状部材１２の凸状部分の頂上を含む部分面の色と、表示媒体の色は異なる色であれば、その組合せは白黒に限るものではない。
また、電極５、６をライン電極として互いに対向交差させて形成した対電極の例を示したが、電極５、６を各セル内に配置する対向個別電極とした対電極としても同様のことが行える。
【００２２】
図２（ａ）、（ｂ）に示す例では、１種類以上の粒子から構成される光学的反射率および帯電特性の異なる２種類の表示媒体３（白色表示媒体３Ｗと黒色表示媒体３Ｂ）を、隔壁４で形成された各セルに封入し、白色表示媒体３Ｗを封入したセルと黒色表示媒体３Ｂを封入したセルとの２個のセルで１表示単位（画素）としている。また、各セルの背面側基板１に、中央凸状部材１１および中央凸状部材１１の表面を覆う電極５からなる電極付き中央凸状部材１２を設けている。この２種類の表示媒体３は、背面側基板１に設けた電極付き中央凸状部材１２の電極５（ライン電極）と表示面側透明基板２に設けた電極６（ライン電極）とが交差して形成する対電極の間に電圧を印加することにより発生する電界に応じて、基板１、２と垂直に移動する。各セル内の背面側基板１には、電極付き中央凸状部材１２を設ける。白色表示媒体３Ｗを封入したセルには少なくとも凸状部分の頂上を含む部分面がもう一方の表示媒体の色と同系色である黒色層５Ｂからなる電極付き中央凸状部材１２を、黒色表示媒体３Ｂを封入したセルには少なくとも凸状部材の頂上を含む部分面がもう一方の表示媒体の色と同系色である白色層５Ｗからなる電極付き中央凸状部材１２を設けることが好適である。電極付き中央凸状部材１２は各セル内の背面側基板１の中央部に設けられ、背面側基板１の方に移動した表示媒体３は電極付き中央凸状部材１２と隔壁４との空間に配置される。このように背面側基板１の方に移動した表示媒体はセルの端に位置するようになり観察者から見えなくなる。
そして、図２（ａ）に示すように黒色表示媒体３Ｂおよび凸状部分の頂上を含む部分面の黒色層５Ｂを観察者に視認させて黒色の表示を行ったり、図２（ｂ）に示すように白色表示媒体３Ｗおよび凸状部分の頂上を含む部分面の白色層５Ｗを観察者に視認させて白色の表示を行ったりする。図２に示すように、封入されている表示媒体の２色の組合せと、電極付き中央凸状部材の凸状部分の頂上を含む部分面の２色の組合せとを同じものとして用いることによって、表示画面の白色濃度および黒色濃度を向上することができる。
なお、図２（ａ）、（ｂ）において、手前にある隔壁は省略している。
図２において、全ての電極付き中央凸状部材の凸状部分の頂上を含む部分面の色を同色にしても良いが、この場合は、全て白色とすることが好ましい。
また、電極５、６をライン電極として互いに対向交差させて形成した対電極の例を示したが、電極５、６を各セル内に配置する対向個別電極とした対電極としても同様のことが行える。
【００２３】
図２の例のように、少なくとも２色の表示媒体を用いる場合、１表示単位を構成するセル数としては２〜１６個の範囲が好ましい。これは、１表示単位の面積が表示する画像の精細度に係るため、１表示単位に配置するセルの数を多くするためにはセル面積を小さくしなければならないが、表示媒体を構成する粒子の適正なサイズ（平均粒子径ｄ（０．５））の範囲が、１〜２０μｍにあることからセル面積を小さくするには限界があるからである。
【００２４】
図３（ａ）、（ｂ）に示す例では、基本の構成は図２に示す例と同じとし、白色表示媒体３Ｗを封入したセルと黒色表示媒体３Ｂを封入したセルとの２個のセルに対して１色のカラーフィルタを表示面側基板２に配置し、赤色カラーフィルタ２２Ｒ、緑色カラーフィルタ２２Ｇ、青色カラーフィルタ２２ＢＬ（三原色カラーフィルタ）を配置した６個のセルで１表示単位を構成するカラー表示用パネルの例を示している。各セル内の背面側基板１には、凸状部分の頂上を含む部分上に白色層５Ｗおよび黒色層５Ｂを有する電極付き凸状部材１２を、それぞれ反対色の表示媒体を封入したセルに対応して設けている。図３（ａ）に示す例は個別電極を設けた例を示し、図３（ｂ）に示す例はライン電極を設けた例を示しているが、両者のカラー表示の方法は同じであるため、以下の説明では同じ例として説明する。
図３（ａ）に示すように、１表示単位中にあるすべての白色表示媒体３Ｗを観察者側に移動し、すべての黒色表示媒体３Ｂを背面側に移動することで、観察者に対し白色ドット表示を行い、図３（ｂ）に示すように、赤色カラーフィルタ２２Ｒが配置されたセルは白色表示媒体３Ｗを、緑色カラーフィルタ２２Ｇおよび青色カラーフィルタ２２ＢＬが配置されたセルは黒色表示媒体３Ｂを観察者側に移動することで、観察者に対し赤色ドット表示を行っている。各セルの表示媒体の移動のさせ方で多色カラー表示ができる。なお、図３（ａ）、（ｂ）において、手前にある隔壁は省略している。
白色表示媒体を封入したセルと黒色表示媒体を封入したセルとの組合せは、図２に示すように、白色表示媒体を封入したセルを１個、黒色表示媒体を封入したセルを１個としたり、白色表示媒体を封入したセルを２個、黒色表示媒体を封入したセルを１個としたり、と自由である。カラー表示においては白色表示媒体を封入したセルを多く組合わせるのが反射効率を高められ明るい表示となるので好ましい。また、カラーフィルタ毎に配置するセルの数を変えることによって表示状態を調整できる。
また、電極５、６をライン電極として互いに対向交差させて形成した対電極の例を示したが、電極５、６を各セル内に配置する対向個別電極とした対電極としても同様のことが行える。
【００２５】
次に、本発明の情報表示用パネルの製造方法の一例を説明する。
【００２６】
図４（ａ）〜（ｅ）はそれぞれ本発明の情報表示用パネルの製造方法の一例を説明するための図である。なお、図４（ａ）〜（ｅ）に示す例では、電極としてライン電極を用いた例を示す。また、図４（ｃ）−１〜図４（ｅ）−１は黒色表示媒体のみの例を示し、図４（ｃ）−２〜図４（ｅ）−２は白色および黒色表示媒体を使用した例を示している。
【００２７】
図４（ａ）〜（ｅ）に示す例に従って本発明の情報表示用パネルの製造方法を説明すると、まず、図４（ａ）に示すように、シート３１上に電極３２を形成する。シート３１は絶縁性を含む非導電性で圧延性に優れた材料であればよく、アクリル、ポリエチレン（ＰＥ）、ポリプロピレン（ＰＰ）、ポリエチレンテレフタレート（ＰＥＴ）、ポリエチレンナフタレート（ＰＥＮ）等の樹脂が好ましい。電極３１を形成するための材料としては、導電性に優れ圧延性のある金属が好ましく、金、銅、銀、アルミニウム、ニッケル、ネオジウムクロムやこれらを主成分とした合金が挙げられる。そして、上記金属からなる導電膜をシート３１上に形成し、導電膜をエッチングしたり、上記金属をパターニング蒸着したりして、電極３２をパターニングすることで、ライン電極付きシートあるいは個別電極付きシート３３を得る。次に、図４（ｂ）に示すように、得られたライン電極付きシートあるいは個別電極付きシート３３をエンボス加工して凸状部分３４を形成する。凸状部分３４は頂上から側面にかけて傾斜する形状（屋根形状）が好ましい。
【００２８】
次に、図４（ｃ）−１〜図４（ｅ）−１に従って黒色表示媒体のみを使用した例を説明する。まず、図４（ｃ）−１に示すように、エンボス加工で形成された凸状部分３４の上面に白色層３５Ｗを設ける。白色層３５Ｗを凸状部分３４の上面に形成する方法は、プリンティング（転写）やペインティング（塗布）等の方法を用いることが好ましい。次に、図４（ｄ）−１に示すように、白色層３５Ｗを有するライン電極付きあるいは個別電極付きの凸状部分３４が形成されたシート３３を基板３６に貼り付ける。基板３６は情報表示用パネルの背面側基板とするので透明でも不透明でもよい。また、基板３６としてフレキシブル基板を用いれば、情報表示用パネルの背面側基板全体をフレキシブルにすることができる。最後に、図４（ｅ）−１に示すように、電極３７および隔壁３８が形成された観察側透明基板３９を貼り合わせて、全てのセルに黒色表示媒体３Ｂを封入することで、情報表示用パネルが得られる。
【００２９】
次に、図４（ｃ）−２〜図４（ｅ）−２に従って黒色表示媒体および白色表示媒体を使用した例を説明する。まず、図４（ｃ）−２に示すように、エンボス加工で形成された凸状部分３４の上面に白色層３５Ｗおよび黒色層３５Ｂを交互にを設ける。白色層３５Ｗおよび黒色層３５Ｂを凸状部分３４の上面に形成する方法は、プリンティング（転写）やペインティング（塗布）等の方法を用いることが好ましい。次に、図４（ｄ）−２に示すように、白色層３５Ｗおよび黒色層３５Ｂを有するライン電極付きあるいは個別電極付きの凸状部分３４が形成されたシート３３を基板３６に貼り付ける。基板３６は情報表示用パネルの背面側基板とするので透明でも不透明でもよい。また、基板３６としてフレキシブル基板を用いれば、情報表示用パネルの背面側基板全体をフレキシブルにすることができる。最後に、図４（ｅ）−２に示すように、電極３７および隔壁３８が形成された観察側透明基板３９を貼り合わせて、各セルに黒色表示媒体３Ｂおよび白色表示媒体３Ｗを封入することで、情報表示用パネルが得られる。なお、白色層３５Ｗの存在するセルには黒色表示媒体３Ｂを封入し、黒色層３５Ｂの存在するセルには白色表示媒体３Ｗを封入する。
【００３０】
本発明の情報表示用パネルのセルの構成例を、図５（ａ）、（ｂ）乃至図９（ａ）〜（ｃ）に基づき説明する。
各セルにおいて、対電極となる電極５、６はセル内側に封入した表示媒体と接するように配置する。この場合、電極エッジは隔壁に隠れないように配置するのが好ましい。
【００３１】
図５（ａ）〜図７（ａ）は本発明の情報表示用パネルのセルの上面図、図５（ｂ）〜図７（ｂ）はそれぞれ図５（ａ）〜図７（ａ）のＡ−Ａ断面図である。
図５〜図７において、いずれも四角形のセルの中央に電極付き中央凸状部材１２を設け、電極付き中央凸状部材１２とセルを形成する４辺の隔壁４との間には空間を設けてある。この空間に背面側基板の電極に引き付けられた表示媒体が配置される。図５〜図７の違いはその断面図に示すように、電極付き中央凸状部材１２の形状にあり、図５（ｂ）では電極付き中央凸状部材１２はその上部が曲率半径の大きい曲面形状であり、図６（ｂ）では電極付き中央凸状部材１２は三角屋根の形状であり、図７（ｂ）では電極付き中央凸状部材１２は角柱の上に三角屋根を重ねた形状である。
【００３２】
なお、図５（ｂ）において、電極付き中央凸状部材１２の高さＨｔが、対向する基板５、６の間の距離Ｈｗに対して、
Ｈｗ／４≦Ｈｔ≦Ｈｗ／２
を満たすことが好適である。Ｈｔ＜Ｈｗ／４の場合、表示媒体を構成する粒子が電極付き中央凸状部材１２と隔壁４との空間に収まりきらずに、電極付き中央凸状部材１２との上にも配置されてしまうおそれがある。また、Ｈｗ／２＜Ｈｔの場合、表示媒体を構成する粒子が電極付き中央凸状部材１２の上部を移動しにくく、表示面となる基板面全体に広がりにくいというおそれがある。
また、電極付き中央凸状部材１２と、セルを形成する隔壁４のうち少なくとも１辺の隔壁との間に空間を設ける場合、電極付き中央凸状部材１２と隔壁４との距離Ｗｔが、表示媒体を構成する粒子の平均粒子径ｄ（０．５）に対して、
３×ｄ（０．５）≦Ｗｔ
を満たすことが好適である。上記の範囲にない場合、表示媒体を構成する粒子が電極付き中央凸状部材１２と隔壁４との空間に移動しにくかったり、収まりきらなかったりするおそれがある。
また、電極付き中央凸状部材１２の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。上記の範囲としたのは、表示面側基板から電極付き中央凸状部材までの距離Ｈｗ−Ｈｔが小さいと、表示媒体を構成する粒子が移動しにくく、距離Ｈｗ−Ｈｔが大きいと、表示媒体を構成する粒子を移動させるために駆動電圧を高くする必要があるからである。
【００３３】
図８（ａ）、図９（ａ）は本発明の情報表示用パネルの他の例となるセルの上面図、図８（ｂ）、図９（ｂ）はそれぞれ図８（ａ）、図９（ａ）のＡ−Ａ断面図、図８（ｃ）、図９（ｃ）はそれぞれ図８（ａ）、図９（ａ）のＢ−Ｂ断面図である。
図８、図９において、いずれも四角形のセルの対向する２辺の隔壁に接するように電極付き中央凸状部材１２を設け、その他の２辺の隔壁と電極付き中央凸状部材１２との間に空間を設け、この空間に背面側基板の電極に引き付けられた表示媒体が配置される。図８では、電極付き中央凸状部材１２と接する隔壁がセルの長辺であり、図９では、電極付き中央凸状部材１２と接する隔壁４がセルの短辺である。図８、図９のその他の違いは、その断面図に示すように、電極付き中央凸状部材１２の形状にあり、図８（ｂ）に示すように電極付き中央凸状部材１２は三角屋根の形状であり、図９（ｃ）に示すように電極付き中央凸状部材１２は角柱の上に三角屋根を重ねた形状である。
電極付き中央凸状部材の水平方向の断面形状は、セル形状と合わせるのが好ましく、角丸付き四角形が好ましい。表示媒体の動きやすさを得るために、側面は平滑にするのが好ましい。
【００３４】
電極付き中央凸状部材１２の上面の色は、電極付き中央凸状部材が配置されているセルに封入された表示媒体の色と異なる色であることが好適である。
【００３５】
本発明の情報表示用パネルの１表示単位の構成例を、図１０（ａ）〜（ｈ）乃至図１１（ａ）、（ｂ）に基づき説明する。
【００３６】
図１０（ａ）〜（ｄ）は白表示時、図１０（ｅ）〜（ｈ）は図１０（ａ）〜（ｄ）にそれぞれ対応する黒表示時の本発明の情報表示用パネルの１表示単位の構成例である。
図１０に示す例は、上述した図５〜図７に示す例のように、いずれも四角形のセルの中央に電極付き中央凸状部材１２を設け、電極付き中央凸状部材１２とセルを形成する４辺の隔壁４との間には空間を設けてあり、この空間に背面側基板の電極に引き付けられた表示媒体が配置される。
図１０（ａ）、（ｅ）に示す例では、１表示単位を、図中点線で囲むように、白色表示媒体を封入したセル１つと黒色表示媒体を封入したセル１つとの２つにより構成している。なお、白色表示媒体を封入したセルには黒色の凸状部分の頂上を含む部分面５Ｂを有する電極付き中央凸状部材１２を配置し、黒色表示媒体を封入したセルには白色の凸状部分の頂上を含む部分面５Ｗを有する電極付き中央凸状部材１２を配置している。
図１０（ｂ）、（ｆ）に示す例では、１表示単位を、図中点線で囲むように、白色表示媒体を封入したセル４つと黒色表示媒体を封入したセル２つとの６つにより構成している。なお、白色の凸状部分の頂上を含む部分面５Ｗを有する電極付き中央凸状部材１２を全てのセルに配置している。
図１０（ｃ）、（ｇ）に示す例では、１表示単位を、図中点線で囲むように、白色表示媒体を封入したセル４つと黒色表示媒体を封入したセル２つとの６つにより構成している。なお、白色の凸状部分の頂上を含む部分面５Ｗを有する電極付き中央凸状部材１２を全てのセルに配置している。
図１０（ｄ）、（ｈ）に示す例では、１表示単位を、図中点線で囲むように、白色表示媒体を封入したセル３つと黒色表示媒体を封入したセル３つとの６つにより構成している。なお、白色の凸状部分の頂上を含む部分面５Ｗを有する電極付き中央凸状部材１２を全てのセルに配置している。
【００３７】
図１１（ａ）、（ｂ）は白表示時、図１１（ｃ）、（ｄ）は図１１（ａ）、（ｂ）にそれぞれ対応する黒表示時の本第２発明の情報表示用パネルの１表示単位の構成例である。
図１１に示す例は、図３に示す例のように、いずれも四角形のセルの対向する２辺の隔壁に接するように電極付き中央凸状部材１２を設け、その他の２辺の隔壁と電極付き中央凸状部材１２との間に空間を設け、この空間に背面側基板の電極に引き付けられた表示媒体が配置される。図１１（ａ）、（ｃ）では、電極付き中央凸状部材１２と接する隔壁がセルの短辺であり、図１１（ｂ）、（ｄ）では、電極付き中央凸状部材１２と接する隔壁がセルの長辺である。
図１１に示す例では、１表示単位を、図中点線で囲むように、白色表示媒体を封入したセル１つと黒色表示媒体を封入したセル１つとの２つにより構成している。なお、白色表示媒体を封入したセルには黒色の凸状部分の頂上を含む部分面５Ｂを有する電極付き中央凸状部材１２を配置し、黒色表示媒体を封入したセルには白色の凸状部分の頂上を含む部分面５Ｗを有する電極付き中央凸状部材１２を配置している。
【００３８】
以下、本発明の情報表示用パネルを構成する各部材について説明する。
【００３９】
基板については、表示面側基板は情報表示用パネル外側から表示媒体の色が確認できる透明な基板であり、可視光の透過率が高くかつ耐熱性の良い材料が好適である。背面側基板は透明でも不透明でもかまわない。基板材料を例示すると、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリル等のプラスチック系基板やガラス基板を用いる。背面側をプラスチック系基板とすると、セルに設ける中央凸状部材を形成しやすいので好ましい。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００４０】
電極の形成材料としては、アルミニウム、銀、ニッケル、銅、金等の金属類や酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法の他、金属箔をラミネートする方法（例えば、圧延銅箔）が用いられる。視認側であり透明である必要のある表示面側基板に設ける電極は透明である必要があるが、背面側基板に設ける電極は透明である必要はない。いずれの場合もパターン形成可能で導電性である上記材料を好適に用いることができる。なお、表示面側基板に設ける電極の厚みは、導電性が確保でき光透過性に支障がなければ良く、０．０１〜１０μｍ、好ましくは０．０５〜５μｍである。中央凸状部材を構成する電極の厚みは、０．０１〜１０μｍ、好ましくは０．０５〜５μｍである。電極付き中央凸状部材を構成する基材は、加工性の面からはエンボス加工が容易に行えるプラスチック材料が好ましい。また、電極付き中央凸状部材を構成する電極材料としては圧延性のよい金属材料が好ましい。
【００４１】
情報表示用パネルの基板間の空間にセルを形成するための隔壁において、隔壁の高さや幅は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。表示側基板と背面側基板とを重ね合わせて得られる情報表示用パネルにおけるセルは図１２に示すごとく、基板平面方向からみて四角形状、三角形状、六角形状等の多角形状が例示されるが、円形状、楕円形状、レーストラック形状などいずれでもよいし、異なる形状を組み合わせてもよい。このうち、このうち表示媒体が移動しやすいものとして角丸付きの多角形状（特には角丸付き四角形状）、円形状、楕円形状、レーストラック形状が好ましい。配置としては格子状が好ましく、角丸付き四角形のセルを格子状に配置する構成が好ましく用いられる。表示面側から見える隔壁断面部分に相当する部分（隔壁の幅によって形成されるセルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法も好適に用いることができるが、これらのうち、レジストフィルムを用いるフォトリソ法や金型転写法が好適に用いられる。
【００４２】
次に、本発明の情報表示用パネルにおいて表示媒体を構成する表示用粒子（以下、粒子ともいう）について説明する。表示媒体は、表示用粒子だけで構成したり、その他の粒子と合わせて構成したりする。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００４３】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００４４】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４５】
着色剤としては、以下に例示するような、有機または無機の各種、各色の顔料、染料が使用可能である。
【００４６】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４７】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４８】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４９】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の表示用粒子を作製できる。
【００５０】
また、本発明に用いる表示用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００５１】
更に本発明に用いる表示用粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００５２】
さらにまた、各表示用粒子の相関について、使用した粒子の内、最大径を有する粒子のd(0.5)に対する最小径を有する粒子のd(0.5)の比を５０以下、好ましくは１０以下とすることが肝要である。
【００５３】
なお、上記表示用粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００５４】
表示用粒子の帯電量は当然その測定条件に依存するが、情報表示用パネルにおける表示用粒子の帯電量はほぼ、初期帯電量、隔壁との接触、基板との接触、経過時間に伴う電荷減衰に依存し、特に表示用粒子の帯電挙動の飽和値が支配因子となっているということが分かった。
【００５５】
本発明者らは鋭意検討の結果、ブローオフ法において同一のキャリア粒子を用いて、表示用粒子の帯電量測定を行うことにより、表示用粒子の適正な帯電特性値の範囲を評価できることを見出した。
【００５６】
更に、本発明の情報表示用パネルを、気体中空間で粒子からなる表示媒体を駆動する乾式の情報表示用パネルとして構成する場合は、表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１（ａ）において、対向する基板１、基板２に挟まれる部分から、電極５、６（電極を基板内側に設けた場合）、表示媒体３の占有部分、隔壁４の占有部分、中央凸状部材１１の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。セル内空間を気体空間とする情報表示用パネルが好ましいが、セル内空間を透明な絶縁液体空間とすることもできる。
【００５７】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間のセル内空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【００５８】
上述した本発明の情報表示用パネルでは、１つのセル内で１色の表示媒体を移動させて情報画像の表示を行うようにしたので、表示媒体同士が移動時に衝突し合うことがなくなりスムーズに移動出来るようになり、白画像表示時に一部黒色表示媒体が混在して白色度を低下させたり、黒画像表示時に一部白色表示媒体が混在して黒色度を低下させたりすることがなくなり表示画質が向上した。また、本発明の情報表示用パネルでは、電極付き中央凸状部材１２の表面に電極５が存在し、対向電極５、６の距離が小さく構成されているため、これまでよりも小さな印加電圧で表示媒体駆動が行えるようになった。
【００５９】
また、上述した本発明の情報表示用パネルでは、電極付き中央凸状部材１２を構成する中央凸状部材１１として中空形状の例を示したが、中実形状の中空凸状部材１１を使用することもできる。
【産業上の利用可能性】
【００６０】
本発明の情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる。
【００６１】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの駆動方式を適用することができる。
【図面の簡単な説明】
【００６２】
【図１】（ａ）、（ｂ）はそれぞれ本発明の第１発明に係る情報表示用パネルの一例を示す図である。
【図２】（ａ）、（ｂ）はそれぞれ本発明の第２発明に係る情報表示用パネルの一例を示す図である。
【図３】（ａ）、（ｂ）はそれぞれ本発明の第２発明に係る情報表示用パネルの他の例を示す図である。
【図４】（ａ）〜（ｅ）はそれぞれ本発明の情報表示用パネルの製造方法の一例を説明するための図である。
【図５】（ａ）、（ｂ）はそれぞれ本発明の情報表示用パネルのセルの構成例を示す図である。
【図６】（ａ）、（ｂ）はそれぞれ本発明の情報表示用パネルのセルの他の構成例を示す図である。
【図７】（ａ）、（ｂ）はそれぞれ本発明の情報表示用パネルのセルの他の構成例を示す図である。
【図８】（ａ）〜（ｃ）はそれぞれ本発明の情報表示用パネルのセルの他の構成例を示す図である。
【図９】（ａ）〜（ｃ）はそれぞれ本発明の情報表示用パネルのセルのさらに他の構成例を示す図である。
【図１０】（ａ）〜（ｈ）はそれぞれ本発明の情報表示用パネルの１表示単位の構成例である。
【図１１】（ａ）〜（ｄ）はそれぞれ本発明の情報表示用パネルの１表示単位の他の構成例である。
【図１２】本発明の情報表示用パネルにおける隔壁の形状の一例を示す図である。
【図１３】（ａ）、（ｂ）はそれぞれ従来の帯電粒子電界駆動方式表示パネルの代表例である。
【図１４】（ａ）、（ｂ）はそれぞれ従来の帯電粒子電界駆動方式表示パネルの他の代表例である。
【符号の説明】
【００６３】
１、３６        背面側基板
２、３９        表示面側透明基板
３              表示媒体
３Ｗ            白色表示媒体
３Ｂ            黒色表示媒体
３Ｒ            赤色表示媒体
４、３８        隔壁
５、６、３２、３７  電極
５Ｂ            黒色層
５Ｗ            白色層
１１            中央凸状部材
１２            電極付き中央凸状部材
２２Ｒ          赤色カラーフィルタ
２２Ｇ          緑色カラーフィルタ
２２ＢＬ        青色カラーフィルタ
３１            シート
３２            電極
３３            ライン電極付きシートあるいは個別電極付きシート
３４            凸状部分
３５            着色層
【図１】
0005116387.tif 000002
【図２】
0005116387.tif 000003
【図３】
0005116387.tif 000004
【図４】
0005116387.tif 000005
【図５】
0005116387.tif 000006
【図６】
0005116387.tif 000007
【図７】
0005116387.tif 000008
【図８】
0005116387.tif 000009
【図９】
0005116387.tif 000010
【図１０】
0005116387.tif 000011
【図１１】
0005116387.tif 000012
【図１２】
0005116387.tif 000013
【図１３】
0005116387.tif 000014
【図１４】
0005116387.tif 000015